(57)【特許請求の範囲】
【請求項１】
１つのダイアル操作で宛先電話番号を指定するワンタッチダイアル機能を備えるとともに、回線閉結後にプッシュボタン操作により入力されたトーン信号を送出して、所定のサービスを受ける通信端末装置において、
ワンタッチダイアル機能のおのおののワンタッチダイアルに、宛先電話番号と手動接続するか否かをあらわす手動接続フラグを少なくとも含む登録した宛先情報テーブルを登録する登録手段と、
前記登録手段により登録されたおのおのの宛先情報テーブルを保存する保存手段と、
ユーザ操作されたワンタッチダイアルの宛先情報テーブルを前記保存手段より読み出し、その読み出した宛先情報テーブルに含まれる手動接続フラグが手動接続する旨をあらわしている場合には、その読み出した宛先情報テーブルに含まれる宛先電話番号へ発呼し、それ以降は、前記所定のサービスを受けるためのユーザのプッシュボタン操作を待機する発呼制御手段を備えたことを特徴とする通信端末装置。
【請求項２】
１つのダイアル操作で宛先電話番号を指定するワンタッチダイアル機能を備えるとともに、回線閉結後にプッシュボタン操作により入力されたトーン信号を送出して、所定のサービスを受ける通信端末装置の制御方法において、
ワンタッチダイアル機能のおのおののワンタッチダイアルに、宛先電話番号と手動接続するか否かをあらわす手動接続フラグを少なくとも含む登録した宛先情報テーブルを登録する登録ステップと、
前記登録ステップにより登録されたおのおのの宛先情報テーブルを保存する保存ステップと、
ユーザ操作されたワンタッチダイアルの宛先情報テーブルを読み出し、その読み出した宛先情報テーブルに含まれる手動接続フラグが手動接続する旨をあらわしている場合には、その読み出した宛先情報テーブルに含まれる宛先電話番号へ発呼し、それ以降は、前記所定のサービスを受けるためのユーザのプッシュボタン操作を待機する発呼制御ステップを備えたことを特徴とする通信端末装置の制御方法。
【発明の詳細な説明】
【０００１】
【発明の属する技術分野】
本発明は、回線閉結後に所定のトーン信号を送出して、所定のサービスを受ける通信端末装置およびその制御方法に関する。
【０００２】
【従来の技術】
従来より、種々のファクシミリ画情報を配布するファクシミリ情報サービスが実用されている。このファクシミリ情報サービスを利用する場合、ファクシミリ装置のハンドセットまたは外付け電話機を用い、ユーザが手動でファクシミリ情報サービス端末へ発呼し、ファクシミリ情報サービス端末より送られてくる音声ガイダンスに従って必要な操作（通常は、テンキーのオン操作（すなわちＰＢ信号の送出））を手動で行う。
【０００３】
そして、ファクシミリ装置のスタートキーをオン操作して、受信動作を開始させると、ファクシミリ装置は、所定の受信動作を開始し、ファクシミリ情報サービス端末より、ユーザが所望した画情報を受信し、受信した画情報の受信原稿を記録出力するようにしている。
【０００４】
【発明が解決しようとする課題】
さて、このようなファクシミリ情報サービスを利用するとき、ユーザが手動操作する必要があり、例えば、定期的にファクシミリ画情報を配布するようなファクシミリ情報サービスを利用する場合、定期的にユーザが手動操作を行う必要があるので、ユーザの操作が煩雑になるという不具合を生じていた。
【０００５】
本発明は、かかる実情に鑑みてなされたものであり、網が提供するサービスを簡単に利用することができる通信端末装置およびその制御方法を提供することを目的としている。
【０００６】
【課題を解決するための手段】
本発明は、１つのダイアル操作で宛先電話番号を指定するワンタッチダイアル機能を備えるとともに、回線閉結後にプッシュボタン操作により入力されたトーン信号を送出して、所定のサービスを受ける通信端末装置において、ワンタッチダイアル機能のおのおののワンタッチダイアルに、宛先電話番号と手動接続するか否かをあらわす手動接続フラグを少なくとも含む登録した宛先情報テーブルを登録する登録手段と、前記登録手段により登録されたおのおのの宛先情報テーブルを保存する保存手段と、ユーザ操作されたワンタッチダイアルの宛先情報テーブルを前記保存手段より読み出し、その読み出した宛先情報テーブルに含まれる手動接続フラグが手動接続する旨をあらわしている場合には、その読み出した宛先情報テーブルに含まれる宛先電話番号へ発呼し、それ以降は、前記所定のサービスを受けるためのユーザのプッシュボタン操作を待機する発呼制御手段を備えたものである。
【０００７】
また、１つのダイアル操作で宛先電話番号を指定するワンタッチダイアル機能を備えるとともに、回線閉結後にプッシュボタン操作により入力されたトーン信号を送出して、所定のサービスを受ける通信端末装置の制御方法において、ワンタッチダイアル機能のおのおののワンタッチダイアルに、宛先電話番号と手動接続するか否かをあらわす手動接続フラグを少なくとも含む登録した宛先情報テーブルを登録する登録ステップと、前記登録ステップにより登録されたおのおのの宛先情報テーブルを保存する保存ステップと、ユーザ操作されたワンタッチダイアルの宛先情報テーブルを読み出し、その読み出した宛先情報テーブルに含まれる手動接続フラグが手動接続する旨をあらわしている場合には、その読み出した宛先情報テーブルに含まれる宛先電話番号へ発呼し、それ以降は、前記所定のサービスを受けるためのユーザのプッシュボタン操作を待機する発呼制御ステップを備えたものである。
【００１４】
【発明の実施の形態】
以下、添付図面を参照しながら、本発明の実施の形態を詳細に説明する。
【００１５】
図１は、本発明の一実施例にかかるグループ３ファクシミリ装置を示している。
【００１６】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１７】
スキャナ５は、所定の解像度で原稿画像を読み取るためのものであり、プロッタ６は、所定の解像度で画像を記録出力するためのものであり、操作表示部７は、このグループ３ファクシミリ装置を操作するためのもので、各種の操作キー、および、各種の表示器からなる。
【００１８】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１９】
グループ３ファクシミリモデム１０は、グループ３ファクシミリのモデム機能を実現するためのものであり、伝送手順信号をやりとりするための低速モデム機能（Ｖ．２１モデム）、おもに画情報をやりとりするための高速モデム機能（Ｖ．１７モデム、Ｖ．３４モデム、Ｖ．２９モデム、Ｖ．２７ｔｅｒモデムなど）、および、回線を介して受信している信号の周波数と継続時間の測定機能（信号測定手段）を備えている。
【００２０】
網制御装置１１は、このグループ３ファクシミリ装置をアナログ公衆網ＰＳＴＮに接続するためのものであり、自動発着信機能を備えている。また、網制御装置１１には、通話のためのハンドセット１２が付設されている。
【００２１】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１３に接続されており、これらの各要素間でのデータのやりとりは、主としてこの内部バス１３を介して行われている。
【００２２】
また、網制御装置１１とグループ３ファクシミリモデム１０との間のデータのやりとりは、直接行なわれている。
【００２３】
図２は、宛先情報テーブルの一例を示している。この宛先情報テーブルは、例えば、ワンタッチダイアル機能の１つのワンタッチダイアル、または、短縮ダイアル機能の１つの短縮ダイアルについて１つが形成されるものであり、当該ワンタッチダイアルまたは短縮ダイアルに登録された宛先番号情報（電話番号）、宛先名称、および、当該宛先へ手動接続するか否かをあらわす手動接続フラグからなる。
【００２４】
ここで、ファクシミリ情報サービス等の宛先の場合には、手動接続フラグが「手動接続する」に設定される。
【００２５】
図３〜図５は、宛先情報テーブルへ必要な情報を登録する際の手順の一例を示している。
【００２６】
まず、操作表示部７の初期画面には、図３（ａ）に示すような表示がなされ、この状態で、ユーザが操作表示部７の初期設定キー（図示略）をオン操作すると、同図（ｂ）に示すような初期設定画面が表示される。
【００２７】
この初期設定画面から、ユーザが「１」を選択すると、同図（ｃ）に示すようなシステム設定画面が表示される。このシステム設定画面から、ユーザが「１」を選択すると、同図（ｄ）に示すような各種登録／消去画面が表示される。
【００２８】
この各種登録／消去画面からユーザが「０１」を選択すると、図４（ａ）に示すような「＜宛先登録／変更＞」画面が表示される。この「＜宛先登録／変更＞」画面において、例えば、ユーザがワンタッチダイアル番号（０１−６４）の１つ（例えば、キー０１）を選択したとすると、次に、同図（ｂ）に示すようなキー０１の登録画面が表示される。
【００２９】
そこで、この登録画面でユーザは電話番号（ファクシミリ番号）を入力し、「設定」を選択すると、同図（ｃ）に示すように、宛先名を入力する画面に切り替わり、次いで、ユーザは、宛先名の入力を行ない、「設定」を選択すると、同図（ｄ）に示すように「＜各種条件＞」登録画面が表示される。
【００３０】
この「＜各種条件＞」登録画面では、ユーザは、例えば、ファクシミリ情報サービスを選択するために、「３」を選択すると、図５（ａ）に示すように、手動接続するか否かを選択するための画面が表示される。
【００３１】
ここで、手動接続の態様を選択し、「設定」を選択すると、次に、同図（ｂ）に示すように、このときに設定入力した内容の一覧を表示する画面に切り替わり、さらに、「設定」を選択すると１つのワンタッチダイアルへの情報登録が終了される。
【００３２】
図６は、宛先の登録時の処理の一例を示している。
【００３３】
まず、宛先登録時の初期画面を表示し、その状態で、直前に表示しているメニューに戻るか、あるいは、登録可能な宛先情報が入力されることを監視している（判断１０１，１０２のＮＯループ）。直前メニューに戻る旨が指示された場合で、判断１０１の結果がＹＥＳになるときには、この処理を終了する。
【００３４】
また、ワンタッチダイアル等の登録可能な宛先情報が入力され、判断１０２の結果がＹＥＳになるときには、当該宛先情報について新規の登録操作であるかどうかを調べ（判断１０３）、既に登録されている場合には、その登録内容を取得して表示しする（処理１０４）。
【００３５】
次いで、テンキー（図示略）が操作されるか、宛先名の入力が指令されるか、あるいは、各種条件の入力が指令されるか、あるいは、取消が指令されるか、あるいは、設定が指令されるかを待つ（判断１０５，１０６，１０７，１０８，１０９）。
【００３６】
テンキーが操作された場合で、判断１０５の結果がＹＥＳになるときには、番号入力処理を行い（処理１１０）、判断１０４に戻り、そのときまでに入力された登録内容を表示する。
【００３７】
また、宛先名の入力が指令された場合で、判断１０６の結果がＹＥＳになるときには、所定の名前入力／登録処理（処理１１１）を行い、判断１０４に戻り、そのときまでに入力された登録内容を表示する。
【００３８】
また、各種条件の入力が指令された場合で、判断１０７の結果がＹＥＳになるときには、ユーザが完了を選ぶまで（判断１１２の結果がＮＯの間は）、ファクシミリ情報サービスが選択されると（判断１１３の結果がＹＥＳ）、ファクシミリ情報サービスを設定し（処理１１４）、判断１０７に戻る。また、ユーザが完了を選択して、判断１１２の結果がＹＥＳになるときには、判断１０４に戻り、そのときまでに入力された登録内容を表示する。
【００３９】
また、取消が指定されて、判断１０８の結果がＹＥＳになるときには、判断１０１へ戻る。また、設定が指定された場合で、判断１０９の結果がＹＥＳになるときには、それまでに登録された内容および変更された内容を保持し（処理１１５）、判断１０１へ戻る。
【００４０】
図７は、ワンタッチダイアルが操作されたときの処理の一例を示している。
【００４１】
まず、登録情報を取得し（処理２０１）、手動接続フラグが「手動接続する」に設定されているかどうかを調べる（判断２０２）。判断２０２の結果がＮＯになるときには、通常の自動発呼処理を行う（処理２０３）。
【００４２】
また、ユーザがファクシミリ情報サービスへ接続するためにワンタッチダイアルを操作した場合であり、判断２０２の結果がＹＥＳになるときには、回線を閉結し（処理２０４）、登録された宛先情報を適用して電話番号を網へ送出する（処理２０５）。
【００４３】
これにより、ファクシミリ情報サービスへ発呼され、ファクシミリ情報サービスの情報提供端末に接続する。それにより、相手端末からは、ファクシミリ情報サービスの案内のためのガイダンス音声等が応答され、ユーザは、ガイダンス音声等に応答して、必要なキー操作を行い、所望する情報へと徐々にたどりつく。このようにして、情報提供端末とユーザとの間で略対話的に情報の選択処理が行われ、最終的には、ユーザが所望する情報の取り出しが行われる。
【００４４】
したがって、ユーザがキー操作するか、あるいは、スタートキー（図示略）を操作するまで待つ（判断２０６，２０７のＮＯループ）。
【００４５】
ユーザがキー操作した場合で、判断２０６の結果がＹＥＳになるときには、対応するトーン信号を相手端末へ送出し（処理２０８）、判断２０６へ戻る。また、ユーザが最終目的の情報へたどり着き、スタートキーをオンした場合で、判断２０７の結果がＹＥＳになると、所定のグループ３ファクシミリ受信処理を行って、情報提供端末よりファクシミリ画情報を受信する（処理２０９）。受信動作を終了すると、回線を復旧して（処理２１０）、このときの動作を終了する。
【００４６】
このようにして、本実施例では、ワンタッチダイアルの登録情報に手動接続するか否かを登録しているので、ワンタッチダイアルを利用して、ファクシミリ情報サービスへ接続することができ、ユーザの操作の手間を大幅に削減することができる。また、ユーザが電話番号を後入力することが防止される。
【００４７】
ところで、ファクシミリ情報サービスがユーザとの間で対話的に処理する内容は、一定であり、したがって、ユーザが必要とする情報までの手順が判明している場合には、その手順を登録することで、ユーザが必要とする情報を自動的に取得する自動受信が可能となる。
【００４８】
そのために、宛先情報テーブルには、図８に示すように、手動からの通信フラグおよびアクセス手順情報テーブルを追加する。ここで、手動からの通信フラグは自動受信するか否かを登録するためのフラグ情報であり、アクセス手順情報テーブルは、例えば、ファクシミリ情報サービスがユーザとの間で対話的に処理する内容をステップバイステップに登録したものである。例えば、１つのステップの内容は、送出するトーン信号の内容（ＰＢ信号列）、ポーズ時間等である。
【００４９】
図９は、この場合に、ワンタッチダイアルが操作されたときの処理の一例を示している。
【００５０】
まず、登録情報を取得し（処理３０１）、手動接続フラグが「手動接続する」に設定されているかどうかを調べる（判断３０２）。判断３０２の結果がＮＯになるときには、通常の自動発呼処理を行う（処理３０３）。
【００５１】
また、ユーザがファクシミリ情報サービスへ接続するためにワンタッチダイアルを操作した場合であり、判断３０２の結果がＹＥＳになるときには、回線を閉結し（処理３０４）、登録された宛先情報を適用して電話番号を網へ送出する（処理３０５）。
【００５２】
これにより、ファクシミリ情報サービスへ発呼され、ファクシミリ情報サービスの情報提供端末に接続する。それにより、相手端末からは、ファクシミリ情報サービスの案内のためのガイダンス音声等が応答されるので、アクセス手順情報テーブルの内容を参照して、自動運転動作を行い（処理３０６）、ユーザが登録した所望する情報への取得作業を行う。
【００５３】
このとき、ユーザは、グループ３ファクシミリ装置が行う自動運転の様子を聞いており、所望する情報へたどり着いたと判断すると、スタートキーをオンする。
【００５４】
そこで、処理３０６を終了すると、スタートキーがオン操作されるまで待ち（判断３０７のＮＯループ）、スタートキーがオン操作されて、判断３０７の結果がＹＥＳになると、所定のグループ３ファクシミリ受信処理を行って、情報提供端末よりファクシミリ画情報を受信する（処理３０８）。受信動作を終了すると、回線を復旧して（処理３０９）、このときの動作を終了する。
【００５５】
このようにして、本実施例では、ワンタッチダイアルの登録情報に手動接続するか否かを登録しているので、ワンタッチダイアルを利用して、ファクシミリ情報サービスへ接続することができ、ユーザの操作の手間を大幅に削減することができる。また、ユーザが電話番号を後入力することが防止される。それとともに、ファクシミリ情報サービスから情報を取得する際の手順を登録して実行するので、ユーザの手間が大幅に軽減される。
【００５６】
図１０は、この場合に、ワンタッチダイアルが操作されたときの処理の他の例を示している。
【００５７】
まず、登録情報を取得し（処理４０１）、手動接続フラグが「手動接続する」に設定されているかどうかを調べる（判断４０２）。判断４０２の結果がＮＯになるときには、通常の自動発呼処理を行う（処理４０３）。
【００５８】
また、ユーザがファクシミリ情報サービスへ接続するためにワンタッチダイアルを操作した場合であり、判断４０２の結果がＹＥＳになるときには、回線を閉結し（処理４０４）、登録された宛先情報を適用して電話番号を網へ送出する（処理４０５）。
【００５９】
これにより、ファクシミリ情報サービスへ発呼され、ファクシミリ情報サービスの情報提供端末に接続する。それにより、相手端末からは、ファクシミリ情報サービスの案内のためのガイダンス音声等が応答されるので、アクセス手順情報テーブルの内容を参照して、自動運転動作を行い（処理４０６）、ユーザが登録した所望する情報への取得作業を行う。
【００６０】
ここで、手動からの通信フラグが「通信する」に設定されているかどうかを調べ（判断４０７）、判断４０７の結果がＹＥＳになるときには、所定のグループ３ファクシミリ受信処理を行って、情報提供端末よりファクシミリ画情報を受信する（処理４０８）。受信動作を終了すると、回線を復旧して（処理４０９）、このときの動作を終了する。
【００６１】
このようにして、本実施例では、ワンタッチダイアルの登録情報に手動接続するか否かを登録しているので、ワンタッチダイアルを利用して、ファクシミリ情報サービスへ接続することができ、ユーザの操作の手間を大幅に削減することができる。また、ユーザが電話番号を後入力することが防止される。それとともに、ファクシミリ情報サービスから情報を取得する際の手順を登録して実行するので、ユーザの手間が大幅に軽減される。
【００６２】
図１１は、この場合に、ワンタッチダイアルが操作されたときの処理のさらに他の例を示している。
【００６３】
まず、登録情報を取得し（処理５０１）、手動接続フラグが「手動接続する」に設定されているかどうかを調べる（判断５０２）。判断５０２の結果がＮＯになるときには、通常の自動発呼処理を行う（処理５０３）。
【００６４】
また、ユーザがファクシミリ情報サービスへ接続するためにワンタッチダイアルを操作した場合であり、判断４０２の結果がＹＥＳになるときには、回線を閉結し（処理５０４）、登録された宛先情報を適用して電話番号を網へ送出する（処理５０５）。
【００６５】
これにより、ファクシミリ情報サービスへ発呼され、ファクシミリ情報サービスの情報提供端末に接続する。それにより、相手端末からは、ファクシミリ情報サービスの案内のためのガイダンス音声等が応答されるので、アクセス手順情報テーブルの内容を参照して、自動運転動作を行い（処理５０６）、ユーザが登録した所望する情報への取得作業を行う。
【００６６】
次いで、所定のグループ３ファクシミリ受信処理を行って、情報提供端末よりファクシミリ画情報を受信する（処理５０７）。受信動作を終了すると、回線を復旧して（処理５０８）、このときの動作を終了する。
【００６７】
このようにして、本実施例では、ワンタッチダイアルの登録情報に手動接続するか否かを登録しているので、ワンタッチダイアルを利用して、ファクシミリ情報サービスへ接続することができ、ユーザの操作の手間を大幅に削減することができる。また、ユーザが電話番号を後入力することが防止される。それとともに、ファクシミリ情報サービスから情報を取得する際の手順を登録して実行するので、ユーザの手間が大幅に軽減される。
【００６８】
なお、上述した実施例では、グループ３ファクシミリ装置について本発明を適用した場合について説明したが、本発明は、それ以外の通信端末装置について同様に適用することができる。
【００６９】
【発明の効果】
以上説明したように、本発明によれば、１つのダイアル操作で宛先電話番号を指定するワンタッチダイアル機能を備えるとともに、回線閉結後にプッシュボタン操作により入力されたトーン信号を送出して、所定のサービスを受ける通信端末装置において、ワンタッチダイアル機能のおのおののワンタッチダイアルに、宛先電話番号と手動接続するか否かをあらわす手動接続フラグを少なくとも含む登録した宛先情報テーブルを登録する登録手段と、前記登録手段により登録されたおのおのの宛先情報テーブルを保存する保存手段と、ユーザ操作されたワンタッチダイアルの宛先情報テーブルを前記保存手段より読み出し、その読み出した宛先情報テーブルに含まれる手動接続フラグが手動接続する旨をあらわしている場合には、その読み出した宛先情報テーブルに含まれる宛先電話番号へ発呼し、それ以降は、前記所定のサービスを受けるためのユーザのプッシュボタン操作を待機する発呼制御手段を備えたので、ユーザは、ワンタッチダイアルに宛先を登録するのと同じ操作でファクシミリ情報サービス等の宛先を登録することができ、ユーザ操作が簡便化されるという効果を得る。
【００７０】
また、１つのダイアル操作で宛先電話番号を指定するワンタッチダイアル機能を備えるとともに、回線閉結後にプッシュボタン操作により入力されたトーン信号を送出して、所定のサービスを受ける通信端末装置の制御方法において、ワンタッチダイアル機能のおのおののワンタッチダイアルに、宛先電話番号と手動接続するか否かをあらわす手動接続フラグを少なくとも含む登録した宛先情報テーブルを登録する登録ステップと、前記登録ステップにより登録されたおのおのの宛先情報テーブルを保存する保存ステップと、ユーザ操作されたワンタッチダイアルの宛先情報テーブルを読み出し、その読み出した宛先情報テーブルに含まれる手動接続フラグが手動接続する旨をあらわしている場合には、その読み出した宛先情報テーブルに含まれる宛先電話番号へ発呼し、それ以降は、前記所定のサービスを受けるためのユーザのプッシュボタン操作を待機する発呼制御ステップを備えたので、ユーザは、ワンタッチダイアルに宛先を登録するのと同じ操作でファクシミリ情報サービス等の宛先を登録することができ、ユーザ操作が簡便化されるという効果を得る。
【図面の簡単な説明】
【図１】本発明の一実施例にかかるグループ３ファクシミリ装置の構成例を示したブロック図。
【図２】宛先情報テーブルの一例を示した概略図。
【図３】宛先情報テーブルへ必要な情報を登録する際の手順の一例を示した概略図。
【図４】宛先情報テーブルへ必要な情報を登録する際の手順の一例を示した概略図（続き）。
【図５】宛先情報テーブルへ必要な情報を登録する際の手順の一例を示した概略図（続き）。
【図６】宛先の登録時の処理の一例を示したフローチャート。
【図７】ワンタッチダイアルが操作されたときの処理例を示したフローチャート。
【図８】ワンタッチダイアルが操作されたときの処理の他の例を示したフローチャート。
【図９】ワンタッチダイアルが操作されたときの処理のさらに他の例を示したフローチャート。
【図１０】ワンタッチダイアルが操作されたときの処理のまたさらに他の例を示したフローチャート。
【図１１】ワンタッチダイアルが操作されたときの処理のまたさらに他の例を示したフローチャート。
【符号の説明】
１  システム制御部
２  システムメモリ
【図１】
0004294236.tif 000002
【図２】
0004294236.tif 000003
【図３】
0004294236.tif 000004
【図４】
0004294236.tif 000005
【図５】
0004294236.tif 000006
【図６】
0004294236.tif 000007
【図７】
0004294236.tif 000008
【図８】
0004294236.tif 000009
【図９】
0004294236.tif 000010
【図１０】
0004294236.tif 000011
【図１１】
0004294236.tif 000012